(57)【要約】【課題】室外ユニットの運搬、据え付けを行う作業者が取っ手位置を変更でき、また、室外ユニットの外部との固定元を実現象及び据付ケースに応じて変更可能とする空気調和機の室外ユニットを得ることを目的とする。【解決手段】冷凍サイクルの一部を構成する熱交換器１２及び圧縮機が少なくとも搭載された筐体２と、高さ方向に間隔をあけて設けられた複数の溝部５ａを備え、筐体２の外郭角部に設けられ、筐体２を支える外郭支柱５と、溝部５ａに着脱自在に取り付けられる取っ手部品８とを備える。【選択図】図４
2015206530.tif 000002
【特許請求の範囲】
【請求項１】
冷凍サイクルの一部を構成する熱交換器及び圧縮機が少なくとも搭載された筐体と、
高さ方向に間隔をあけて設けられた複数の溝部を備え、前記筐体の外郭角部に設けられ、前記筐体を支える外郭支柱と、
前記溝部に着脱自在に取り付けられる取っ手部品と、
を備えたことを特徴とする空気調和機の室外ユニット。
【請求項２】
前記取っ手部品は、
半割構造の円筒部と、前記円筒部の内周部に設けられ、前記外郭支柱の溝部に嵌合される突部と、
を備えたことを特徴とする請求項１に記載の空気調和機の室外ユニット。
【請求項３】
前記取っ手部品は、
前記円筒部の外周面に形成された溝部又は突条部を備えた
ことを特徴とする請求項１又は２に記載の空気調和機の室外ユニット。
【請求項４】
前記取っ手部品は、
前記外郭支柱に設けられた複数の溝部の内、任意の２つの溝部にそれぞれ取り付けられる
ことを特徴とする請求項１〜３の何れか一項に記載の空気調和機の室外ユニット。
【請求項５】
前記外郭支柱は、
表面に滑り止めの表面加工が施された
ことを特徴とする請求項１〜４の何れか一項に記載の空気調和機の室外ユニット。
【請求項６】
前記外郭支柱を２組備え、
２組の前記外郭支柱は前記筐体の同一の外郭角部に併設され、
前記取っ手部品は、
半割構造の円筒部と、前記円筒部の内周部に設けられ、前記外郭支柱の溝部に嵌合される突部とを備え、一方の前記外郭支柱の溝部に取り付けられる第一の取っ手部品、
半割構造の円筒部と、前記円筒部の内周部に設けられ、前記外郭支柱の溝部に嵌合される突部とを備え、他方の前記外郭支柱の溝部に取り付けられる第二の取っ手部品、及び
前記第一の取っ手部品と第二の取っ手部品とを連結した連結部材から構成され、
前記連結部材を把持部とする
ことを特徴とする請求項１〜５の何れか一項に記載の空気調和機の室外ユニット。
【請求項７】
前記連結部材は、
板状部材から構成され、上端及び下端に凹部がそれぞれ設けられた
ことを特徴とする請求項６に記載の空気調和機の室外ユニット。
【請求項８】
前記取っ手部品は、
ワイヤーが連結される転倒防止部を備え、
ワイヤーを介して固定先と接続され、前記筐体の転倒を防止する
ことを特徴とする請求項１〜７の何れか一項に記載の空気調和機の室外ユニット。
【発明の詳細な説明】
【技術分野】
【０００１】
本発明は、空気調和機の室外ユニットに関し、特に室外ユニットの取っ手構造に関する。
【背景技術】
【０００２】
従来の空気調和機の室外ユニットには運搬用の取っ手が設けられているが、この取っ手には、例えば、樹脂で成形された取っ手部品を室外ユニットの外郭パネルに設けられた取り付け穴部へ嵌めこむ仕様のものがある。また、外郭部を板金部品と格子状に組まれたワイヤーで構成する室外ユニットにおいては、ワイヤー部を取っ手形状に加工して室外ユニットの運搬を可能にする仕様のものがある。
さらに、室外ユニットを支える隅部の支柱部の中央付近の幅を狭くすることで、この部位を運搬時に握る取っ手として用いる仕様のものが提案されている（例えば、特許文献１参照）。
【先行技術文献】
【特許文献】
【０００３】
【特許文献１】特開２０１０−０６５９５１号公報
【発明の概要】
【発明が解決しようとする課題】
【０００４】
取っ手の高さなどの設定位置は日本人の平均的な体格を基準としている。一方で、国内で開発した室外ユニットを海外展開した際に、外国人が室外ユニットの運搬、現地据付作業を行う場合には、取っ手位置を作業者が作業し易い場所へ設けることが望ましい。
【０００５】
しかし、従来のように外郭部品（板金部品）に予め設けた取り付け穴へ樹脂性の取っ手を嵌めこむ仕様のもの、或いはワイヤーの一部を取っ手形状へ加工している仕様のものでは、作業者によって取っ手位置を変更することができない、という問題点があった。また、取り付け穴を複数設けることで取っ手位置を多少変更することは可能ではあるが、取っ手位置の変更の自由度が小さい、という問題点もあった。
【０００６】
また、特許文献１に示された室外ユニットの取っ手構造も、筐体を支える支柱の一部を細長くすることで取っ手部としているため、作業者による取っ手位置の変更は不可能である。さらに、支柱の一部（特許文献１では支柱の中央部）を人が握れるように細長くしているため、支柱の上下方向（以下、天地方向という）の強度が著しく低下する。このため、室外ユニットを段積みした際の荷重、落下衝撃による荷重などの外力が加わった場合には、支柱の細長くした箇所に応力が集中して座屈変形を起こす要因となり得る。また、特許文献１に示された、一定の長さの溝状の段差を支柱に設ける構造も、応力集中箇所となり、座屈変形を起こす要因となり得る。なお、昨今、市場へ投入され始めている新冷媒Ｒ３２は微燃性冷媒であるため、室外ユニットの落下、変形を起こしうる要因を益々排除する必要がある。
【０００７】
一方、昨今、世界各地で発生している自然災害の規模は大きく、これまで発生していなかった地域でも異常気象が頻繁に発生している。このため、大型台風や竜巻による強風、地震による振動などの外乱に対する室外ユニットの転倒防止対策も市場の要求として高まっている。
しかし、室外ユニットに転倒防止対策を施すには、予め室外ユニット側に転倒防止部材を取り付けるための取り付け穴を設けたり、取り付け可能な形状（他部品と干渉しない等）にしておく必要が有るが、既に市場において据付けられている室外ユニットに転倒防止部材を取り付けることは不可能である。
また、予め室外ユニットに転倒防止部材を設けると、転倒防止部材の設置場所が一意に決まってしまうが、室外ユニットの据付環境は様々なケースが考えられるため、転倒防止部材の設置場所を変更できる仕様が良い。
さらに、室外ユニットの重量の大半を占める圧縮機は室外ユニット正面から観て右側の機械室と呼ばれる位置へ収納配置されており、重心位置は右側に寄っている。このため、大型台風の強風などの外乱により室外ユニットが移動（転倒）する場合には、重量の軽い室外ユニットの左側から動くため、このような自然環境による影響を考慮すると、移動（転倒）防止の為の転倒防止部材などを室外ユニットの左側に固定する必要がある。
【０００８】
本発明は、上述のような課題を解決するためになされたもので、室外ユニットの運搬、据え付けを行う作業者が取っ手位置を変更できる空気調和機の室外ユニットを得ることを第１の目的とする。
また、室外ユニットを外部基礎などと固定するために用いる室外ユニットの固定元を自然環境及び設置環境に応じて変更を可能とする空気調和機の室外ユニットを得ることを第２の目的とする。
【課題を解決するための手段】
【０００９】
本発明に係る空気調和機の室外ユニットは、冷凍サイクルの一部を構成する熱交換器及び圧縮機が少なくとも搭載された筐体と、高さ方向に間隔をあけて設けられた複数の溝部を備え、前記筐体の外郭角部に設けられ、前記筐体を支える外郭支柱と、前記溝部に着脱自在に取り付けられる取っ手部品と、を備えたものである。
【発明の効果】
【００１０】
本発明によれば、室外ユニットの外郭支柱に複数の溝部を設けることで、外郭支柱の任意の高さ位置に取っ手部品を取り付けることができ、取っ手位置を容易に変更することができる。
【図面の簡単な説明】
【００１１】
【図１】本発明の実施の形態１における室外ユニットを左背面側から観た斜視図である。
【図２】図１の室外ユニットの左側外郭の構成部品を示す斜視図である。
【図３（ａ）】図１の室外ユニットの取っ手部品の拡大図である。
【図３（ｂ）】図１の室外ユニットの取っ手部品を取り付ける際の様子を示した斜視図である。
【図４】本発明の実施の形態１における外郭支柱へ取り付ける取っ手部品の位置変更が可能なことを示す斜視図である。
【図５】本発明の実施の形態２における外郭支柱の周辺を表した斜視図である。
【図６】本発明の実施の形態３における転倒防止機能が付加された取っ手部品を外郭支柱５に取り付けた様子を示す。
【図７】本発明の実施の形態３における室外ユニットを外部の固定先に固定する様子を示す斜視図である。
【図８】本発明の実施の形態３における室外ユニットを外部の固定先に複数の箇所で固定する様子を示す斜視図である。
【図９（ａ）】本発明の実施の形態４における外郭支柱が２組ある場合の様子を示す斜視図である。
【図９（ｂ）】本発明の実施形態４における左側外郭パネルの取っ手部の拡大図である。
【図９（ｃ）】本発明の実施形態４における連結取っ手を取り付ける様子を示した拡大図である。
【発明を実施するための形態】
【００１２】
実施の形態１．
図１から図４は、本発明の実施の形態１を示す図である。
図１は、本実施形態１における空調機の室外ユニット（以下、単に室外ユニットという）１の左背面側から観た斜視図である。図１に示されるように、本実施の形態に係る室外ユニット１は、筐体２を備えている。筐体２の上面は、トップパネル３により構成されている。筐体２の側面の外郭部は、板金を素材としたサイドパネル（Ｌ型）４などのパネル類、筐体２を支える外郭支柱５、外郭部ワイヤー６、樹脂性の嵌め込み式取っ手（以下、単に取っ手という）７などにより構成されている。取っ手７は、室外ユニット１を正面から見て、前面の右側及び左側の角と背面の右側の角の３カ所に設けられ、上下方向中央付近の高さにある。意匠を兼ねた外郭パネル材への取っ手７の設け方としては、樹脂成型の取っ手を嵌め込む従来の仕様のものが一般的である。筐体２内には熱交換器１２が配置されている。なお、筐体２内には、熱交換器１２の他に、図示はしないが、圧縮機及び膨張弁が配置されており、これらは、室内ユニットに配置された熱交換機と冷媒配管によって接続されて冷凍サイクルを構成している。
【００１３】
図２は、図１の室外ユニット１の左側外郭の構成部品を示す斜視図である。
図２に示されるように、室外ユニット１の左側外郭は、サイドパネル（Ｌ型）４、外郭部ワイヤー６、外郭支柱５、取っ手７及び取っ手部品８により構成される。外郭部ワイヤー６は、熱交換器１２へ手などが触れないように警鐘を促すために格子状に組まれている。サイドパネル（Ｌ型）４は、室外ユニット１の左側外郭の前面側に設けられ、外郭支柱５は左背面側の角部に設けられ、サイドパネル（Ｌ型）４と外郭支柱５とは、外郭部ワイヤー６により繋がれている。取っ手７は、サイドパネル（Ｌ型）４へ設けられた取り付け穴部へ嵌め込むことにより固定されている。外郭支柱５は、例えば金属製の丸棒などを用いるが、強度的に問題がなければ樹脂を用いても良い。
【００１４】
図３（ａ）は、図１の室外ユニット１の取っ手部品８の拡大図であり、図３（ｂ）は図１の室外ユニット１の取っ手部品８を取り付ける際の様子を示した斜視図である。
図３（ｂ）に示されるように、取っ手部品８は、半割構造の円筒部８ａと、円筒部８ａの内周壁に設けられた取っ手凸部８ｂとを備えている。外郭支柱５は、外郭支柱溝部５ａが設けられており、取っ手凸部８ｂを外郭支柱溝部５ａへ嵌め合わせることで、取っ手部品８が位置決めされる。そして、この取っ手部品８の取っ手凸部８ｂには、例えば爪やスナップフィット（図示せず）を設け、半割構造の円筒部８ａを固定する。
【００１５】
外郭支柱溝部５ａの深さは、取っ手部品８の位置が決まれば良く、外郭支柱５に天地方向の加重が加わった際に、外郭支柱５が座屈変形をしてしまう程、深くする必要はない。また、取っ手凸部８ｂが外郭支柱溝部５ａに引っ掛かる構造としたことによって、取っ手部品８を取っ手として持った際に取っ手部品８が天地方向に動いたり、ずれたりすることを抑制することが可能である。
【００１６】
取っ手部品８の幅は手の幅サイズ（５〜１５ｃｍ）でよく、表面に溝部又は突条部を設けることで、指の掛かりを良くし、持ちやすくすることが可能である。また、指を当てがう箇所をへこませることで、一目で取っ手であると認識させる効果を持たせることも可能である。
【００１７】
図４は、外郭支柱５へ取り付ける取っ手部品８の位置変更が可能なことを示す斜視図である。
図４に示されるように、外郭支柱溝部５ａは外郭支柱５に複数設けられている。
外郭支柱溝部５ａを外郭支柱５の天地方向の任意の位置へ複数設けておくことで、作業者が作業し易い位置を選択して取っ手部品８を取り付けることが可能となる。室外ユニット１の運搬時には、この取っ手部品８を握る。取っ手部品８は手の幅サイズとすることや、指形状の凹凸を設けることで、取っ手部がどこであるか分かりやすくなり、掴み易くもなる。
【００１８】
以上のように本実施の形態１によれば、室外ユニット１の運搬及び据付作業者によって、外郭支柱５の天地方向の任意の位置へ取っ手部品８を付け替えることが可能となり、運搬及び据付の作業性が向上する。また、取り外しが可能な取っ手部品８である為、運搬及び据付後に取っ手部品８を取り外すことで、材料を目的とした室外ユニット１の盗難防止が可能となる。このこと（盗難防止）は、後述の実施の形態２〜実施の形態４においても同様である。
【００１９】
本実施の形態１では、外郭支柱５を室外ユニット１の左背面の外郭部に設けた例を説明したが、外郭支柱５は室外ユニット１の左背面だけに限らず、左前面、右背面、右前面の四隅のいずれに設けても良い。
【００２０】
なお、外郭支柱溝部５ａは、本発明における「溝部」に相当する。また、取っ手部品８の円筒部８ａは本発明の「円筒部」に、取っ手凸部８ｂは本発明の「突部」に相当する。
【００２１】
実施の形態２．
図５は、本発明の実施の形態２における外郭支柱５の周辺を表した斜視図である。
本実施の形態２では、外郭支柱５の外郭支柱溝部５ａに取っ手部品８を２つ取り付け、２つの取っ手部品８の間の外郭支柱５をそのまま取っ手として握る形態について説明する。
【００２２】
図５に示されるように、外郭支柱５に設けられた複数の外郭支柱溝部５ａの任意の２カ所に、取っ手部品８が取り付けられる。この２つの取っ手部品８の間を取っ手部範囲９として握ることで、室外ユニット１の運搬等を行う。その際に、外郭支柱５へ取り付けられた取っ手部品８は、滑り止めとして機能する。外郭支柱５の取っ手部範囲９の表面をざらざらにするなどの表面加工を施すことで、摩擦係数を上げ、より滑り難くしても良い。なお、取っ手部品８は、上記実施の形態１と同様に、外郭支柱５の天地方向の任意の位置へ設けることが可能である。
【００２３】
実施の形態３．
図６から図８は本発明の実施の形態３を示す図である。
本実施の形態３では、上記の実施の形態１の取っ手部品８に室外ユニット１の転倒防止機能を付加した形態について説明する。
【００２４】
図６は、転倒防止機能が付加された取っ手部品１８を外郭支柱５に取り付けた様子を示す。本実施の形態３の取っ手部品１８は、上記の実施形態１の取っ手部品８の円筒部８ａに突起して形成された転倒防止部８ｃが付加されて構成されている。
【００２５】
図７は室外ユニット１を外部の固定先に固定する様子を示す斜視図である。例えば、転倒防止部８ｃに穴などを設けたり、或いは転倒防止部８ｃに別ピースを設け、取っ手部品１８を、外部基礎又は建物などの固定先１１と固定ワイヤー１０で連結する。
【００２６】
図８は、室外ユニット１を外部の固定先に複数の箇所で固定する様子を示す斜視図である。
図８に示されるように、取っ手部品１８が天地方向の任意の位置へ取り付け可能であること、また複数取り付け可能であることを利用して、複数個の取っ手部品１８を外部基礎又は建物などの固定先１１と固定ワイヤー１０で連結する。このように構成することで、土台基礎或いは外部基礎又は建物などへの固定を強固なものとし、自然災害に備えることが可能である。
【００２７】
以上のように、本実施の形態３によれば、取っ手部品１８を外郭支柱５の天地方向の任意の位置へ取り付けが可能なことや、複数取り付けが可能なことを利用して、土台基礎だけでなく、近辺の建物、或いは室外ユニット１同士を固定ワイヤー１０などで接続することで、転倒防止効果を上昇させることが可能である。
なお、本実施の形態３では、取っ手部品１８を用いて転倒防止対策を施したが、取り外しが可能な取っ手部品１８の性質を利用して、取っ手部品１８の取り外し後に専用の転倒防止部材と付け替えても良い。また、後付けが可能であることで、既に市場に据え付けられている室外ユニット１へ取り付けることも可能である。さらに、取っ手部品１８の劣化の際には、新品の部品と交換することも可能であり、廃却時にはゴミの分別も容易で環境にも優しい。
なお、固定ワイヤー１０は、本発明における「ワイヤー」に相当する。また、外部基礎又は建物などの固定先１１は、本発明における「固定先」に相当する。
【００２８】
実施の形態４．
図９（ａ）から図９（ｃ）は、本発明の実施の形態４の様子を示す斜視図である。
本実施の形態４では、室外ユニット１が外郭支柱５を２組設けている形態について説明する。
【００２９】
図９（ａ）は室外ユニット１に外郭支柱５が２組ある場合の様子を示す斜視図である。
図９（ｂ）は左側外郭パネルの取っ手部の拡大図である。
図９（ｃ）は２組の外郭支柱５に取っ手部品２８を取り付ける様子を示す拡大図である。図９（ｃ）に示されるように、外郭支柱５が２組設けられている場合には、２組の支柱を跨がる取っ手部品２８を設けても良い。
【００３０】
取っ手部品２８は、第一の取っ手部品８及び第二の取っ手部品８（図３（ｂ）参照）を板状の連結部材８ｄで連結することにより構成される。これにより、室外ユニット１は連結部材８ｄを握ることで運搬される。ここで、外郭支柱５を跨がる連結部材８ｄに指を添える連結部材凹部８ｅを設けることで、連結部材８ｄ部分が握りやすくすることができる。この連結部材凹部８ｅは天地方向の上側に親指が掛かるものを、下側に親指以外の指が掛かる連結部材凹部８ｅを設けることができる。
【００３１】
取っ手部品２８は、連結部材８ｄを備え、或いは連結部材８ｄの上端部及び下端部に連結部材凹部８ｅを設けるようにしたので、握りやすくなり、この点からも運搬及び据付の作業性が向上する。ここで、連結部材凹部８ｅは、本発明における「凹部」に相当する。
【００３２】
なお、上記の実施の形態１〜実施の形態４は適宜組み合わせて構成してもよい。例えば、実施の形態４の取っ手部品２８に実施の形態３の転倒防止部８ｃを設けるようにしてもよい。
【符号の説明】
【００３３】
１  室外ユニット、２  筐体、３  トップパネル、４  サイドパネル（Ｌ型）、５  外郭支柱、５ａ  外郭支柱溝部、６  外郭部ワイヤー、７  取っ手、８  取っ手部品、８ａ  円筒部、８ｂ  取っ手凸部、８ｃ  転倒防止部、８ｄ  連結部材、８ｅ  連結部材凹部、９  取っ手部範囲、１０  固定ワイヤー、１１  外部基礎又は建物などの固定先、１２  熱交換器、１８  取っ手部品、２８  取っ手部品。
【図１】
2015206530.tif 000003
【図２】
2015206530.tif 000004
【図３（ａ）】
2015206530.tif 000005
【図３（ｂ）】
2015206530.tif 000006
【図４】
2015206530.tif 000007
【図５】
2015206530.tif 000008
【図６】
2015206530.tif 000009
【図７】
2015206530.tif 000010
【図８】
2015206530.tif 000011
【図９（ａ）】
2015206530.tif 000012
【図９（ｂ）】
2015206530.tif 000013
【図９（ｃ）】
2015206530.tif 000014